(57)【要約】      （修正有）【課題】着やすく脱ぎやすいストレッチロングファスナーウエットスーツを提供する。【解決手段】ウエットスーツ１の本体上部の胸元に一本ワンラインのスライドファスナー５１でネック３を備えたフラップを形成するように開口部５を設けたもので、そのスライドファスナー５１は、一本ワンラインであり、英字略Ｕ字状に開いて肩部７の稜線を越えて背部６に下がり、着衣者の肩甲骨の肩関節辺りに左右の端部５０ａ・５０ｂを設け、スライドファスナー５１の開口によって、フラップが折り返されて背中側に垂れさがって身体全体を出し入れする開口部５を形成する構成である。【選択図】図２
0003226859.tif 000002
【実用新案登録請求の範囲】
【請求項１】
ウエットスーツ１の本体上部の胸元前面に一本のスライドファスナー５１でネック３を設けたフラップ４を形成するように開口部５を設けたもので、ネック３を備えたフラップ４を形成するスライドファスナー５１は、胸元中央から横方向に水平に延伸し又は湾曲して延伸して左右に英字略Ｕ字状に上昇して開き、つづいて肩部７へと延び、肩部７の稜線を超えて背部６に垂れ、着衣者の肩甲骨の上端辺りから肩甲骨の中央辺りに該当する個所に左右の端部５０ａ・５０ｂを止めて設け、スライドファスナー５１を全開して胸開けして前記フラップ４を背中側に折り返すことができることを特徴とするウエットスーツ。
【請求項２】
前記スライドファスナー５１の左右の端部５０ａ・５０ｂは、スライドファスナー５１の始点と終点になるもので、左右の肩部７の頂点からそれぞれ背部６に垂下して約８〜９ｃｍの個所又は着衣者の肩甲骨の肩関節辺りに設けたことを特徴とする請求項１に記載のウエットスーツ。
【請求項３】
前記胸中央から湾曲して横方向に延伸して左右に英字略Ｕ字状に上昇して開く湾曲ラインは略１２０度の曲がりで形成した請求項１又は請求項２のいずれかに記載の胸開けウエットスーツ。
【請求項４】
前記ウエットスーツ１はアウター本体として、内側に薄手の生地で形成された身体全体を入れる開口部９１を有するインナー９を備えていることを特徴とする請求項１又は請求項２又は請求項３のいずれかに記載のウエットスーツ。
【請求項５】
前記スライドファスナー５１は、ファスナーの基布となるテープ５４にスリット５５を形成して湾曲して取り付けてなることを特徴とする請求項１又は請求項２又は請求項３又は請求項４のいずれかに記載のウエットスーツ。
【請求項６】
ウエットスーツ１の本体上部の胸元に一本ワンラインのスライドファスナー５１でネック３を備えたフラップ４を形成するように開口部５を設けたもので、そのスライドファスナー５１は、一本ワンラインであり、胸部中央から横方向に水平に延伸し又は湾曲して延伸して左右に英字略Ｕ字状に開いて上昇し、両側ラインを広げてつづいて肩部７へと延び、肩部７の稜線を越えて背部６に下がった配置形状としており、前記スライドファスナー５１は胸部から角のない湾曲ラインで肩部７の稜線を超えて背部６に垂れ、着衣者の肩甲骨の肩関節辺りに該当する個所にスライドファスナー５１の始点と終点である左右の端部５０ａ・５０ｂを止めて設けてあり、この左右の端部５０ａ・５０ｂの間を残して、前記フラップ４は一本ワンラインのスライドファスナー５１で囲繞形成され、スライドファスナー５１の全開口時には、前記フラップ３がスライドファスナー５１のない端部５０ａ・５０ｂの間の一部で自然に折り返えされて垂れて背中側に垂れさがるネック３付の胸開けのフラップ４となって身体全体を出し入れする開口部５を形成し、スライドファスナー５１の開口閉塞のスライドでは引手５２を持ってワンスライドで開閉できることを特徴とするウエットスーツ。
【考案の詳細な説明】
【技術分野】
【０００１】
本考案は、身体全体を出し入れするための開口部を本体上部に有するウエットスーツであって、開口部は、一本ワンラインのスライドファスナーで形成した胸開けフラップ（ネック付アウター或いはネックカバー）を設けたウエットスーツに関する。
スライドファスナーは、ストレッチロングファスナーで、その取り付け位置が独特である。
【背景技術】
【０００２】
従来のスライドファスナー（ジップファスナー、線ファスナー）で開口部を適宜個所に設けたウエットスーツは、様々あるが、そのスライドファスナーは、一般に直線状に設けている。  
スライドファスナーの形態は、縦長直線状の胸中央の前開き、或いは縦長直線状の背面中央開き、或いは胸前面斜め前開きなどの形態で、スライドファスナーで開口部を設けて、そこから身体全体を出し入れする。
【０００３】
ウエットスーツの上部に開口部を設け、そこを拡げて足から入り込み身体を通して着用するには、身体全体を出し入れするための開口部は、防水密閉性があり、かつ口径を拡幅できる伸縮性があって、脱ぎやすく着やすくなくてはならない。
しかも、冬季のサーフィンの際に着用するようなウエットスーツは、ある程度断熱性を保障するためには，生地の厚みも要請される。
ウエットスーツに身体の出し入れのための開口部を形成するには、素材の弾性を利用するとともに、防水ファスナーを利用することは、口径の拡幅には好ましい組み合わせではある。
【０００４】
スライドファスナーを設けたウエットスーツには次のようなものが開示されている。
【先行技術文献】
【特許文献】
【０００５】
【特許文献１】特許第４４９９１８６号  「水中用ドライスーツ」特許公報
【特許文献２】特許第５４９１９７９号（公開特許公報  特開２０１２−００１８３５）「ブーツ一体型ウエットスーツ」特許公報
【特許文献３】実全昭５４−１２５１００  「ウエットスーツ」  公開実用新案全文明細書
【特許文献４】意匠登録第１６５２４５２号「ウエットスーツ」意匠公報
【特許文献５】特開平１１−３１０１９３  「潜水具」公開特許公報
【考案の概要】
【考案が解決しようとする課題】
【０００６】
特許文献１の水中用ドライスーツは、胸元に一直線のスライドファスナーを設けた構成ある。
特許文献２の「ブーツ一体型ウエットスーツ」は、背中から上肢部分にかけて横方向に防水性ファスナーが取付けられた丈の短い上衣を重ね合せている。
防水性ファスナーは、背中から腕にかけて逆Ｕ字状に設けられている。
【０００７】
特許文献３は、ウエットスーツの前面の胸元に左右端部を少し下げた横一直線のファスナーを設けたものである。
特許文献４の意匠登録第１６５２４５２号は、スライド防水ファスナーを左右両肩のエッジに夫々に形成したデザインのものでフラップを面ファスナーで閉じるものである。
特許文献５は、潜水具で、本体の両方の肩面に  翼状袋部を設け、一方の肩面の翼状袋部上から背面を通し、もう一方の肩面  の翼状袋部にかけて防水ファスナーを設け、両方の翼状袋部と胸部を固定する止め具を設けた潜水具である。
【０００８】
特許文献１〜特許文献５に示すウエットスーツは、首回りから水の浸入を防止し、可及的に小さな開口部を形成しているが、着やすさ脱ぎやすさには、それぞれにまだ問題があった。
例えば、特許文献１の水中用ドライスーツは、胸元に一直線のスライドファスナーを設けた構成あり、そのスライドファスナーは、スライダーを動かし、着脱するときは両手で両縁を押し広げて開けて、身体を出し入れするが、開口縁は胸幅の直線の長さだけであり、開口幅が拡幅できず、窮屈であった。
そして、その構造上、スライドファスナーを開いても、開口部が広く体が入る口径で維持されるものではなく、また一直線の位置になってしまい望む開口はそのつど押し広げるしかないものである。
【０００９】
本考案が解決しようとする課題は、ウエットスーツにおいて、身体を出し入れする開口部からの着やすさと脱ぎやすさである。
開口部の開閉所作を少なくし、スムースに開閉でき、かつその開口部が比較的容易に拡幅できるウエットスーツを提供することが課題である。
【００１０】
開閉をスムースにするには、面ファスナーよりはスライドファスナーが好ましく、使い勝手が良いのはスライドファスナーを複数本配置するよりは一本ワンラインの配置を工夫した。
ワンラインとは、中途で断絶することなく、ひとつのラインで続くつまり一個のスダイダーを備えた一本のファスナーの軌道である。
開閉口を一本のスライドファスナー（防水ジッパー）で形成するときの技術的課題には、密封性を維持し、スライダーの円滑運行性を保障しつつ、開閉口を大きく開拡できる開口形状の設計と柔軟性である。
【課題を解決するための手段】
【００１１】
本考案は、背中側に垂れさがるネック付の胸開けフラップを、ワンラインのスライドファスナーで形成したウエットスーツであって、身体全体を出し入れする開口部を形成するフラップ（ネック付アウター＝ネックカバー）の周囲をスライドファスナーで一部を残して囲繞し、そのスライドファスナーは、シンプルなデザイの一本ワンラインであり、前記フラップが開口時にはスライドファスナーがない一部で自然に折り返えされて垂れるようにスライドファスナーを胸元から角のない湾曲ラインで略Ｕ字状に広げ，両側ラインを肩部の稜線を越えて背部に垂下した配置形状と、背部に垂下した中途個所にスライドファスナーの始点と終点となる端部を設けた構成である。
【００１２】
この構成により、スライドファスナーをスライドさせて回し、フラップを外して、フラップを首から脱ぎ外すと、自然にフラップは後方に垂れ、上方が開口し、脱ぎやすく、着やすいウエットスーツを提供できる。
【００１３】
また、ウエットスーツには、スーツ上部内側の裏面に拡幅する素材で縫製した開口部を有するインナーを設けているものも提供する。
開口部を設けたインナーは、比較的薄い素材で、首周りの防水と断熱と擦れからの保護などのために設けていて、この構成のインナーにかぶせてネック付の胸開けフラップを設けている。
【００１４】
スライドファスナーの形状は、胸元でＵ字状に湾曲し、その角のない湾曲ラインで略Ｕ字状に広げてから両側ラインを肩部の稜線を越えて背部に垂下した個所に端部を設けた形状で、始点から終点までの距離を可及的に長くした形状である。
スライドファスナーの形状は、距離を可及的に長くしかつ円滑なスライドができるように、本考案の形状では、略Ｕ字状に湾曲し、その角のない湾曲ラインで略Ｕ字状に広げてから両側ラインが立ち上がってゆくが、そのラインの一部分に波形や山形を取り入れたラインの変形が可能である。
略Ｕ字状の形状には、船底状や角のないＷ字状やＶ字状など、波形状のラインが含まれる。
【考案の効果】
【００１５】
本考案は、開口部を形成するフラップの周囲を、ワンラインのスライドファスナーで、背部の一部を残して囲繞し、前記フラップが開口時にはスライドファスナーがない背部の一部で自然に折り返えされて垂れるように、スライドファスナーを胸元から角のない湾曲ラインで略Ｕ字状に広げ，両側ラインを肩部の稜線を越えて背部に下げた形状とし、背部に下げた中途個所にスライドファスナーの端部を設けた構成であるので、次の効果がある。
【００１６】
（１）開口部を形成するスライドファスナーのラインの長さが開口部の口径の基準となるのでこの形状設計は重要であるが、胸元前面に略Ｕ字状で両側のラインを広げた形状は、胸元で長い距離を設けることができる。
（２）さらにスライドファスナーのスライダーの軌道をワンラインとしたので、ひとつのスライダーの滑走の動きで開閉ができ、開閉作動が容易で単純である。
（３）しかも、長いライン部分や湾曲部分は、胸元に形成していて、ウエットスーツを着た状態でも、自分の手で左→右への滑走或いは右→左への滑走が一気に動かせ、容易に開閉ができる。
つまりスライダーの引手にスリング（紐）をつけなくても手が届く。
胸側のラインは長いので、胸の横方向の伸びが従来品にはない拡幅があり、肩や胸の動きを制約しないので脱ぎ着の動作が楽にでき、脱ぎ着しやすい。
【００１７】
（４）仮に長いラインをウエットスーツの背中に形成したとすると、ウエットスーツを着た状況では、スライダーに届かない個所が生じ、自分の手で一気に開閉することはできない。
（５）スライドファスナーは両側ラインを肩の頂点を越えて背部に垂下し、手の届く背部の個所に端部を設けたので、端部にあるスライダーや引手の位置も、見なくても手が届き、スライドファスナー開閉は簡単にできる。
（６）スライドファスナーを外してネック付のフラップを首から脱ぎ外すと、自然にフラップは、一気に開き、両端部を結ぶ背中の仮想ラインで折れて後方に垂れる。ネックの重みで自然と後方に垂れ下がるので、手で押さえ開いておくことをしないでよい。肩が出しやすく、非常に容易に脱ぎ着できる。
（７）ウエットスーツの着脱では、フラップが自然と後方に垂れて、大きく開いた状態で維持される。開口部からの身体の出し入れは、ファスナーエレメントで引っ掻くこともなく、フラップを巻き込むこともなく、容易に着脱できる。
サーファーは、休息するときはフラップだけを外して上半身を出し、一時休息するようなことが多くあり、すばやくフラップを外すときには極めて有用である。
【００１８】
このように開口部を形成するスライドファスナーのラインの最適形状とスライドファスナーの最適な端部位置の創出で、開閉動作がスムースになり、閉塞時の防水性も維持され、開口時のフラップの垂下位置の安定化により、着脱がたいへんスムースになったという効果がある。
【図面の簡単な説明】
【００１９】
【図１】図１は、本考案に係るウエットスーツの実施例で、正面からみた説明図である。
【図２】図２は、同じ実施例の背面からみた説明図である。
【図３】図３は、同じく本考案に係るウエットスーツの実施例の要部を示す上半身を正面からみた図面代用写真である。
【図４】図４は、同じ実施例の要部を示す上半身を背面からみた図面代用写真である。
【図５】図５は、同じ実施例のウエットスーツで、胸開けのフラップを外して開口して、背後に垂らした状態を正面から見た図面代用写真である。
【図６】図６は、同じ実施例のウエットスーツで、胸開けのフラップを外して開口して、背後に垂らした状態を背後から見た図面代用写真である。
【図７】図７は、実施例に使用するスライドファスナーの裏面を示す図面代用写真である。スライドファスナーの湾曲を略１２０度にして熱溶着テープを湾曲させて接着する構成を示している。
【図８】図８は、同じくスライドファスナーの裏面を示す図面代用写真であって、図７の熱溶着テープの裏面にさらに補強テープで強化した状態を示すものである。
【考案を実施するための最良の形態】
【００２０】
本考案は、ウエットスーツ１の本体上部の胸元に一本ワンラインのスライドファスナー５１でネック３を備えたフラップ４を形成するように開口部５を設けたウエットスーツである。
【００２１】
そのスライドファスナー５１は、一本ワンラインであり、胸中央から横方向に水平に延伸し又は湾曲して延伸して左右に英字略Ｕ字状に開いて上昇し、両側ラインを広げてつづいて肩部７へと延び、肩部７の稜線を越えて背部６に下がった配置形状である。
【００２２】
前記スライドファスナー５１は胸元から角のない湾曲ラインで肩部７の稜線を超えて背部６に垂れ、着衣者の肩甲骨の上端辺りから肩甲骨の中央辺りに該当する個所に左右の端部５０ａ・５０ｂを止めて設けてある。
【００２３】
この左右の端部５０ａ・５０ｂの間を残して、前記フラップ４は一本ワンラインのスライドファスナー５１で囲繞形成され、スライドファスナー５１の全開口時には、前記フラップ４がスライドファスナー５１のない端部５０ａ・５０ｂの間の生地の一部で自然に折り返えされて垂れて背中側に垂れさがるネック付の胸開けフラップ４となり、身体全体を出し入れする開口部５を形成することができる。
ストレッチロングファスナーによるワンスライドで開口部を一気に開くウエットスーツになる。
【００２４】
スライドファスナー５１の両端となる左右の端部５０ａ・５０ｂは、着衣者の肩甲骨の上端辺りから肩甲骨の中央辺りに該当する個所で、好ましくは着衣者の肩甲骨の肩関節辺りに該当する個所である。
【００２５】
スライドファスナー５１を全開し、首を抜いて胸開けすると、端部５０ａ・５０ｂの間の水平ラインに相当する生地の一部で自然にフラップ４を背中側に折り返すことができる。
開口時や閉塞時にスライダーの引手５２を持って開閉するが、着衣者はウエットスーツ１を着用した状態でもスライダーの引手５２が留まる端部５０ａ・５０ｂには、容易に手が届き、さらにスライダーはワンラインを滑走するので開閉が楽である。
【実施例】
【００２６】
次に、本考案に係るウエットスーツの一実施例を図面に基づいて説明する。
図１〜図８は本考案に係るウエットスーツの実施例である。
その中の図３〜図８は、実施例の図面代用写真である。
【００２７】
図１は、本考案に係るウエットスーツの実施例で、正面からみた説明図である。
図２は、同じ実施例の背面からみた説明図である。
図３〜図６は、同じ実施例で、ウエットスーツの上半身である要部を正面或いは背面からみて説明する図面代用写真である。
実施例は、ウエットスーツ１の本体上部の胸元に一本ワンラインのスライドファスナー５１でネック３を備えたフラップ４を形成するように開口部５を設けたものである。
ウエットスーツ１の胸部は、フラップ結合部２にスライドファスナー５１でフラップ４を連結している。
【００２８】
そのスライドファスナー５１は、全体は英字略Ｕ字状に湾曲し，ほぼ所定の面積に限定される胸面において、可及的に長い形状に工夫した一本ワンラインとして設けている。
前記胸中央から湾曲して横方向に延伸して左右に英字略Ｕ字状に上昇して開く湾曲ラインは、実施例では図７、図８の裏面の逢着図に示すように略１２０度の曲がり角度で形成し、スライダーの走行をスムースにしている。
【００２９】
図３や図５に矢印で示すスライドファスナー５１の湾曲ラインのＲは、スライドファスナー５１の逢着を配慮する湾曲度で好ましくはＲ５０ｍｍ〜Ｒ１００ｍｍ以上の湾曲である。
防水性を阻害しなければ、Ｒ３０ｍｍ〜Ｒ５０ｍｍ位の小さな湾曲で波形状に連続形成して開口縁を延長することも可能である。
【００３０】
ラインには、図示していないが、図３や図５のＲＸの矢印で示す個所は、波形状や〜状の形状にすることもできる。同様に他の個所のライン、例えばＵ字状から肩部７に上昇するライン等は波形状に設計変形することもできる。
【００３１】
湾曲して逢着することは、ファスナーエレメント５３の結合を湾曲させるので、その防水性に影響するとともに作動性にも影響するので、湾曲回数や湾曲度は、ファスナーの精度によって変更が可能である。
【００３２】
スライドファスナー５１は、一本ワンラインとして極めて長いスライドファスナーとしている。
スライドファスナー５１は、一本ワンラインで形成しているが、仮定ではあるがワンラインで２本のスライドファスナーを連続的に配置することも可能ではある。
その場合はスライダーや引手が２個になり、一滑走動作での開閉はできない。
一本ワンラインで形成することに意義があり、長さを持つように湾曲させることに意義がある。
【００３３】
図７は、スライドファスナー５１の裏面の接合例を示し、ファスナーの基布となるテープ５４に、スリット５５を形成して湾曲して取り付ける加工を示している。
実施例では、スライドファスナー５１の湾曲を略１２０度にして熱溶着或いは接着剤でのテープ５４を湾曲させて接着した形状と、熱溶着性等のテープ５４の両側にスリット５５を形成して、曲げた形状を安定して維持する構成を示している。
スライドファスナー５１は、一般にはきつい角度で接着することは難しくスライダーの滑走も厳しいが、ファスナーの基布であるテープ５４にスリット５５の加工を施すことにより、角度のあるカーブ湾曲が可能であり、走行も滑らかになっている。
熱溶着性等のテープ５４の両側に形成するスリット５５は、内側は鋭角に、外側は広角にして湾曲に応じた数か所に形成している。
スリット５５を形成することで、無理なく所望の湾曲を形成でき、かつ防水性を低減することもない。
図８は、図７のテープ５４の上からさらに補強テープ５６で強化し、スリット５５のカット部分の補強と、ウエットスーツの形状の安定や、フラップ４の形状を強化したものである。
さらに、ウエットスーツ１の胸部は、フラップ結合部２にスライドファスナー５１でフラップ４をファスナー連結しているが、図６に示すように、そのフラップ４側の周縁には、フラップ結合部２の下に少し入り込む防水テープ８を形成してもよい
防水テープ８はフラップ４の形状補強にもなる。
【００３４】
本考案では、実施例のように防水性のある長いスライドファスナー５１（ジッパー，線ファスナー）が必須である。
他の構造のファスナー、例えばベルクロファスナーや面ファスナー等では全く代替できない。面ファスナーでは、防水性が低く一滑走動作での開閉はできない。
スライドファスナー５１の形状は、胸部中央から横方向に水平に延伸し又は湾曲して延伸して左右に英字略Ｕ字状に開いて上昇し、両側ラインを広げてつづいて肩部７へと延び、肩部７の稜線を越えて背部６に下がった配置形状としている。
【００３５】
肩部７の稜線を越える個所は、着衣者の鎖骨の外端あたりになる。
前記スライドファスナー５１は胸部から角のない湾曲ラインで肩部７の稜線を超えて背部６に垂れ、着衣者の肩甲骨の肩関節辺りに該当する個所に左右の端部５０ａ・５０ｂを止めて設けている。
【００３６】
この左右の端部５０ａ・５０ｂの間を残して、前記フラップ４は一本ワンラインのスライドファスナー５１で囲繞形成される。
前記フラップ４は、後方の一部（左右の端部５０ａ・５０ｂの間）を除いて一本ワンラインのスライドファスナー５１で囲繞されている構成である。
スライドファスナー５１の全開口時には、前記フラップ４の後方でスライドファスナー５１のない端部５０ａ・５０ｂの間の一部生地の部分で支持され、自重で自然に折り返えされて垂れて、背部６側に垂れさがる。
【００３７】
このネック３付の胸開けのフラップ４の状態は、特に手で押さえなくても開口部５は開いたままで維持されるので、身体全体を出し入れする際に両手を使えて脱ぎ着がたいへん楽になる。
スライドファスナー５１の開口閉塞のスライド動作は、引手５２を持ってワンスライドで開閉できる。
【００３８】
前記スライドファスナー５１の左右の端部５０ａ・５０ｂは、スライドファスナー５１の始点と終点になる。
又左右の端部５０ａ・５０ｂの間の生地は、フラップ４の支持をして折れ曲がる個所であり、その位置は、着衣者の肩甲骨の上端辺りから肩甲骨の中央辺りに該当する個所で、さらに好ましくは、着衣者の肩甲骨の肩関節辺りに該当する個所である。
肩関節辺りを数値でいうと、左右の肩部７の稜線からそれぞれ背部６に垂下して約８〜９ｃｍの個所に該当する。
【００３９】
スライドファスナー５１の始点と終点になる端部５０ａ・５０ｂは、背部６に垂下して約８〜９ｃｍの個所、又は着衣者の肩甲骨の肩関節辺りに設けることになる。
左右の肩部７の稜線からそれぞれ背部６に垂下するラインは、実施例では、図２、図４、図６のように少し内側向きに傾斜して下げている。
肩部７の稜線を越える個所が着衣者の鎖骨の外端辺りで、そこから少し内側向きに肩甲骨の肩関節辺りに傾斜して止まる形状になる。
【００４０】
本考案のウエットスーツ１は、アウター本体として、内側に薄手の生地で形成された身体全体を入れる開口部９１を有するインナー９を備えている。
インナー９は、薄い伸縮性生地で作成してあり、身体全体を入れ込むとしっかり密着する柔軟性と伸縮性があるものであり、ウエットスーツ１の上半身の内側に備えられる。
その開口部９１は、サーファー等の着衣者が、口を広げて足から入れて身体全体を着こむもので、伸縮性があり、身体を入れてから、身体に密着する。
【００４１】
本実施例のウエットスーツ１を着るには、図３の状態から、スライドファスナー５１の端部５０ｂにあるスライダーの引手５２を持って、前側に開いてゆき、そのまま前面のＵ字状のラインのままに開いて端部５０ａまで回し開くと、ネック３付のフラップ４は、自重で自然に後方に垂れて、図５のように、開口部９１を有するインナー９を露出させる。
ウエットスーツ１は、この状態で維持され、例えば先行技術文献のように、開口部をそのつど押し広げて着るのに比較して、フラップ４全体の大きさの開口部５ができ、インナー９の開口部９１が露出する。
【００４２】
サーファー等の着衣者は、インナー９の開口部９１から矢印Ｙのように足、腰、と着込み、腕を差し入れ、胸まで上げる。
スライドファスナー５１のワンラインで長い距離をもった開口部５は、図６の矢印Ｗのように横に広がり、口径を拡大する余裕があり、胸まで差し入れ、腕を差し込んで着こむのにスムースにできる。
従来の構造の着込みに比して、格段の容易さである。
図６の矢印Ｗのように広がるのは、本考案が提案する開口部の形状、スライドファスナーの取り付け位置のほか、ストレッチファスナーの素材、ウエットスーツ生地素材の改良などによるが、ウエットスーツにおいて着脱の容易さの観点では、ストレッチロングファスナーウエットスーツとして、新規な特徴あるウエットスーツが提供できる、
【産業上の利用可能性】
【００４３】
本考案のウエットスーツは、サーフィンやウインドサーフィン等のスポーツ用のウエットスーツに関してのものであるが、スライドファスナーのワンラインでの開口部形成の構造は、ネック付の防寒ウエアなど、比較的厚手の生地のスポーツウエアにおいても利用可能性がある。
【符号の説明】
【００４４】
１      ウエットスーツ本体
２      フラップ結合部
３      ネック
４      フラップ
５      開口部
５１    スライドファスナー
５２    引手
５３    ファスナーエレメント
５０ａ  端部
５０ｂ  端部
５４    テープ
５５    スリット
５６    補強テープ
６      背部
７      肩部
８      防水テープ
９      インナー
９１    インナーの開口部
【図１】
0003226859.tif 000003
【図２】
0003226859.tif 000004
【図３】
0003226859.tif 000005
【図４】
0003226859.tif 000006
【図５】
0003226859.tif 000007
【図６】
0003226859.tif 000008
【図７】
0003226859.tif 000009
【図８】
0003226859.tif 000010